(57)【要約】【課題】指紋認証装置等の他の機器を要さずに住宅の施錠及び解錠を安全に遠隔操作する。【解決手段】携帯情報端末９０はカードキー９２に記憶された認証情報を近距離無線通信によって取得すると共に、住宅１０の電気錠５０の施錠又は解錠をする指令が入力され、取得した認証情報及び入力された指令を送信できる。情報センター８０は、携帯情報端末９０が送信した認証情報を受信し、受信した認証情報が予め登録された認証情報と一致する場合に、携帯情報端末９０に電気錠５０の施錠又は解錠をする指令の送信を許可する。ＨＥＭＳ３０は、携帯情報端末９０が送信した認証情報及び指令を情報センター８０を介して取得し、取得した認証情報が予め登録された認証情報と一致する場合に、取得した指令に基づいて電気錠５０の施錠又は解錠をする。【選択図】図１
2014159692.tif 000002
【特許請求の範囲】
【請求項１】
電子キーに記憶された認証情報を近距離無線通信によって取得すると共に、住宅の電気錠の施錠又は解錠をする指令が入力され、該取得した前記認証情報及び該入力された前記指令を送信可能な携帯情報端末と、
前記携帯情報端末が送信した前記認証情報を受信し、該受信した前記認証情報が予め登録された認証情報と一致する場合に、前記携帯情報端末に前記指令の送信を許可する中継手段と、
前記携帯情報端末が送信した前記認証情報及び前記指令を前記中継手段を介して取得し、該取得した前記認証情報が予め登録された認証情報と一致する場合に、該取得した前記指令に基づいて前記電気錠の施錠又は解錠をする制御手段と、
を備えたセキュリティシステム。
【請求項２】
前記携帯情報端末は、暗号化された前記認証情報を前記近距離無線通信によって前記電子キーから取得し、該取得した前記認証情報を復号し、該復号した前記認証情報及び前記入力された前記指令を各々暗号化して前記中継手段に送信する請求項１に記載のセキュリティシステム。
【請求項３】
前記制御手段は、前記中継手段から暗号化された前記認証情報及び前記指令を取得して復号し、該復号した前記認証情報が予め登録された認証情報と一致する場合に、前記復号した住宅の前記指令に基づいて前記電気錠の施錠又は解錠をする請求項２に記載のセキュリティシステム。
【発明の詳細な説明】
【技術分野】
【０００１】
本発明は、住宅の施錠及び解錠を遠隔操作できるセキュリティシステムに関する。
【背景技術】
【０００２】
外出先などから携帯端末により住宅の機器を遠隔操作するホームセキュリティシステムがある。
【０００３】
例えば、特許文献１に記載の先行技術では、携帯端末に指紋認証装置を装着し、携帯端末の送信者がシステムに登録された者であることを認証した上で住宅内の機器の遠隔操作を許容するホームセキュリティシステムが提案されている。
【先行技術文献】
【特許文献】
【０００４】
【特許文献１】特開２００６−４８１７４号公報
【発明の概要】
【発明が解決しようとする課題】
【０００５】
しかしながら、特許文献１に記載の技術は、携帯端末に加えて指紋認証装置を持ち歩かねばならないという問題点があった。
【０００６】
本発明は、上記事実を考慮して成されたもので、指紋認証装置等の他の機器を要さずに住宅の施錠及び解錠を安全に遠隔操作できるセキュリティシステムを提供することを目的とする。
【課題を解決するための手段】
【０００７】
上記課題を解決するための請求項１の発明は、電子キーに記憶された認証情報を近距離無線通信によって取得すると共に、住宅の電気錠の施錠又は解錠をする指令が入力され、該取得した前記認証情報及び該入力された前記指令を送信可能な携帯情報端末と、前記携帯情報端末が送信した前記認証情報を受信し、該受信した前記認証情報が予め登録された認証情報と一致する場合に、前記携帯情報端末に前記指令の送信を許可する中継手段と、前記携帯情報端末が送信した前記認証情報及び前記指令を前記中継手段を介して取得し、該取得した前記認証情報が予め登録された認証情報と一致する場合に、該取得した前記指令に基づいて前記電気錠の施錠又は解錠をする制御手段と、を備える。
【０００８】
請求項１に記載の発明によれば、中継手段が携帯情報端末から送信された認証情報が真正であると判定した場合に、携帯情報端末からの電気錠の施錠又は解錠の指令の送信ができる。
【０００９】
請求項２の発明は、請求項１に記載の発明において、前記携帯情報端末は、暗号化された前記認証情報を前記近距離無線通信によって前記電子キーから取得し、該取得した前記認証情報を復号し、該復号した前記認証情報及び前記入力された前記指令を各々暗号化して前記中継手段に送信する。
【００１０】
請求項２に記載の発明によれば、電子キーと携帯情報端末との通信、及び携帯情報端末と中継手段との通信を暗号化できる。
【００１１】
請求項３の発明は、請求項２に記載の発明において、前記制御手段は、前記中継手段から暗号化された前記認証情報及び前記指令を取得して復号し、該復号した前記認証情報が予め登録された認証情報と一致する場合に、前記復号した住宅の前記指令に基づいて前記電気錠の施錠又は解錠をする。
【００１２】
請求項３に記載の発明によれば、暗号化された認証情報及び住宅の電気錠を施錠方は解錠をする指令を受信し復号化して住宅の電気錠の施錠又は解錠を行うことができる。
【発明の効果】
【００１３】
以上説明したように、請求項１に記載の発明は、中継手段が携帯情報端末から送信された認証情報が真正であると判定した場合に、携帯情報端末からの電気錠の施錠又は解錠の指令の送信を可能とすることにより、指紋認証装置等の他の機器を要さずに住宅の施錠及び解錠を安全に遠隔操作できるという効果を有する。
【００１４】
請求項２に記載の発明によれば、電子キーと携帯情報端末との通信、及び携帯情報端末と中継手段との通信を暗号化することにより、指紋認証装置等の他の機器を要さずに住宅の施錠及び解錠を安全に遠隔操作できるという効果を有する。
【００１５】
請求項３に記載の発明によれば、暗号化された認証情報及び住宅の電気錠を施錠方は解錠をする指令を受信し復号化して住宅の電気錠の施錠又は解錠を行うことにより、指紋認証装置等の他の機器を要さずに住宅の施錠及び解錠を安全に遠隔操作できるという効果を有する。
【図面の簡単な説明】
【００１６】
【図１】本発明の実施の形態に係るセキュリティシステムの一例を示す概略図である。
【図２】本発明の実施の形態に係るセキュリティシステムにおけるＨＥＭＳの概略構成を示すブロック図である。
【図３】本発明の実施の形態に係るセキュリティシステムにおけるカードキーから認証情報を取得する場合の携帯情報端末の処理の一例を示すフローチャートである。
【図４】本発明の実施の形態に係るセキュリティシステムにおける携帯情報端末と情報センターとのセッションにおける携帯情報端末の処理の一例を示すフローチャートである。
【図５】本発明の実施の形態に係るセキュリティシステムにおける情報センターとＨＥＭＳとのセッションにおける情報センターの処理の一例を示すフローチャートである。
【図６】本発明の実施の形態に係るセキュリティシステムにおける全体の処理の一例を示すシーケンス図である。
【図７】本発明の実施の形態に係るセキュリティシステムにおける携帯情報端末と情報センターとのセッションで声紋による認証を行う携帯情報端末の処理の一例を示すフローチャートである。
【発明を実施するための形態】
【００１７】
以下、図面を参照して本発明の実施の形態の一例を詳細に説明する。図１は、本発明の実施の形態に係るセキュリティシステムの一例を示す概略図である。
【００１８】
本実施の形態では、系統電力１２からの電力が、主幹ブレーカー１００を介して住宅１０の分電盤１４に供給されている。
【００１９】
主幹ブレーカー１００の系統電力側には、系統電力１２から供給される電力の電流値を検知する主幹ブレーカー電流センサ１２０が設けられている。
【００２０】
系統電力１２及びＳＯＦＣ７０から分電盤１４に供給された電力は、電力負荷手段である家電機器３２及び住設機器３４に分岐回路２０Ａ、２０Ｂを介して各々供給される。なお、分岐回路２０Ｃは、電気錠５２を作動させる電力を供給するためのものである。
【００２１】
分岐回路２０Ａ〜２０Ｃには分岐回路２０Ａ〜２０Ｃの電流値を計測する電流センサ２２Ａ〜２２Ｃが各々設けられている。電流センサ２２Ａ〜２２Ｃからの情報線は、主幹ブレーカー電流センサ１２０からの情報線とＨＥＭＳ３０が分電盤１４を制御するための情報線と共にＨＥＭＳ３０に接続されている。なお、図１において破線は計測データ又は制御情報が流れる情報線であるとする。
【００２２】
分電盤１４の分岐回路２０Ａ〜２０Ｃには、分岐回路２０Ａ〜２０Ｃをオン状態又はオフ状態に切り替えるための分岐ブレーカー２４Ａ〜２４Ｃが各々設けられ、分岐ブレーカー２４Ａ〜２４Ｃは、ＨＥＭＳ３０によって制御される。
【００２３】
なお、図１では、記載の簡略化のために分岐回路は３系統のみ記載しているが、本実施の形態では３系統以上でも３系統以下でもよく、分岐回路の本数に特段の限定はない。
【００２４】
また、ＨＥＭＳ３０には、ドア５４の施錠及び解錠が可能な電気錠５２が接続されている。電気錠５２は、いわゆる電子キーの一種であるカードキー９２を用いた認証又はＨＥＭＳ３０からの制御によりドアの施錠又は解錠を行う。
【００２５】
ＨＥＭＳ３０にはインターネット等のネットワーク７０のゲートウェイである終端装置５６が接続されている。ＨＥＭＳ３０は、終端装置５６とネットワーク７０とを介して、情報センター８０と通信可能であり、さらには終端装置５６とネットワーク７０と情報センター８０とを介して携帯情報端末９０と通信可能であるとする。
【００２６】
携帯情報端末９０は、他の端末と音声通信及びデータ通信が可能であると共に、カードキー９２と距離にして数ｃｍの近距離において暗号化された近距離無線通信（NFC：Near Field Communication)が可能である。携帯情報端末９０は、カードキー９２が記憶している電気錠５２を施錠又は解錠する際の認証情報をカードキー９２から暗号化されたＮＦＣによって取得し、取得した認証情報をネットワーク７０を介して情報センター８０に送信可能であるとする。
【００２７】
カードキー９２は、パスワード等の認証情報をバーコード、ＱＲコード（登録商標）若しくはｉＱＲコード等の光学的に読み取り可能な情報として記録し、又は磁気記憶媒体若しくは集積回路（ＩＣ）等に電磁的方法を用いて記録したカード状の鍵である。本実施の形態では、カードキー９２は、内部の認証情報を記録し、電気錠５２のカードリーダー部又は携帯情報端末９０に対し暗号化されたＮＦＣによって認証情報を送信可能であるとする。
【００２８】
情報センター８０は、インターネットの通信に係るサーバ及びルータを備えたネットワーク７０で情報を中継する設備である。情報センター８０のサーバ又はルータは、携帯情報端末９０が送信したカードキー９２の認証情報の正否を検証し、認証情報が正しければ携帯情報端末９０とＨＥＭＳ３０との通信を許容し、携帯情報端末９０からＨＥＭＳ３０を介した電気錠５２の施錠又は解錠を行う操作が可能なようにする。
【００２９】
図２は、本実施の形態に係るセキュリティシステムに係るＨＥＭＳ３０の概略構成を示すブロック図である。
【００３０】
ＨＥＭＳ３０は、コンピュータを含んで構成されており、図２に示すように、ＣＰＵ３６、ＲＯＭ３８、ＲＡＭ４０、及び入出力ポート４２を備えて、これらがアドレスバス、データバス、及び制御バス等のバス４４を介して互いに接続されている。
【００３１】
入出力ポート４２には、各種入出力機器として、表示部４６、操作部４８、及びメモリ５０が接続されている。なお、表示部４６及び操作部４８は一体で構成され、操作部４８は、表示部４６に設けられたタッチパネルを適用することができる。
【００３２】
表示部４６には、家電機器３２等の電力負荷手段の消費電力量、電気錠５２の施錠の状態等が表示可能である。
【００３３】
家電機器３２の消費電力量は電流センサ２２Ａが検知した電流値から、住設機器３４の消費電力は電流センサ２２Ｂが検知した電流値から算出可能である。また、電気錠５２の消費電力は、電流センサ２２Ｃが検知した電流値に基づいて算出可能である。
【００３４】
分電盤１４から家電機器３２、住設機器３４及び電気錠５２等の電力負荷手段に供給される電圧は略１００Ｖなので、本実施の形態では各電流センサが検知した電流値に１００を乗算することで、電力量を算出可能である。しかしながら、電圧の変動が大きい分岐回路では、別途電圧を測定する手段を設けてもよい。
【００３５】
メモリ５０には、分岐ブレーカー２４Ａ〜２４Ｃを制御するプログラム、電気錠５２を制御するためのプログラム及びこれらのプログラムを実行するための各種情報等が記憶されている。
【００３６】
ＨＥＭＳ３０は、メモリ５０に記憶されたプログラムをＲＡＭ４０等に展開してＣＰＵ３６で実行することにより、住宅１０へ供給する電力の制御又は電気錠５２の制御等の各種制御を行うようになっている。
【００３７】
さらに、入出力ポート４２には、分電盤１４、電気錠５２及び終端装置５６等が接続されている。
【００３８】
続いて、本実施の形態に係るＨＥＭＳ３０の制御について説明する。図３は、本実施の形態に係るセキュリティシステムにおける携帯情報端末９０の処理の一例を示すフローチャートである。
【００３９】
ステップ３００では、カードキー９２から暗号化されたＮＦＣにより電気錠５２の認証情報を取得する。例えば、ＮＦＣは、１３．５６ＭＨｚの搬送波により１０６ｋｂｐｓの通信速度によって行うＦｅｌｉＣａ（登録商標）等の技術が使用可能である。カードキー９２は携帯情報端末９０が発する電磁波によって給電され、内部のＩＣに記憶された認証情報を暗号化したＮＦＣによって携帯情報端末９０に送信するものとする。本実施の形態ではＤＥＳ（Data Encryption Standard）又はトリプルＤＥＳ等のブロック暗号が使用可能である。ステップ３０２では、暗号化された認証情報を復号する。
【００４０】
ステップ３０４では、復号したカードキー９２の認証情報が携帯情報端末９０の所有者で、かつ住宅１０の居住者のものであるか否かを検証し、肯定判定の場合は、ステップ３０６で復号化した認証情報をメモリ等の記憶手段に記憶して処理を終了する。ステップ３０４での検証は、種々の方法を用いることができる。例えば、携帯情報端末９０のメモリ等の記憶手段に予めカードキー９２のシリアル番号、有効期限、所有者名等の識別子を予め登録しておく。ステップ３００においてカードキー９２から認証情報を取得する時にカードキー９２の識別子も暗号化されたＮＦＣによって取得し、ステップ３０４では、復号化した識別子が登録している識別子と一致するか否かによって判定する。または、携帯情報端末９０にカードキー９２の認証情報を予め登録しておき、カードキー９２から送信された認証情報が登録されている認証情報と一致するか否かによって判定してもよい。さらには、カードキー９０から送信された認証情報及び識別子が登録している認証情報及び識別子と完全に一致する場合にカードキー９２の認証情報が真正であると判定してもよい。
【００４１】
携帯情報端末９０は、一時的に記憶したカードキー９２の認証情報を暗号化して情報センター８０に送信する。
【００４２】
図４は、本実施の形態に係るセキュリティシステムにおける携帯情報端末９０と情報センター８０とのセッションにおける携帯情報端末９０の処理の一例を示すフローチャートである。本実施の形態では、携帯情報端末９０と情報センター８０とのセッションは、ＳＳＬ（Secure Sockets Layer）又はＴＬＳ（Transport Layer Security）等のセキュリティを考慮した通信プロトコルを使用する。
【００４３】
ステップ４００では、携帯情報端末９０は、情報センター８０にアクセス要求を行い、ステップ４０２では、情報センター８０から送信されたサーバ証明書が取得できたか否かが判定される。
【００４４】
ステップ４０２で肯定判定の場合は、ステップ４０４において、取得したサーバ証明書が真正であるか否かを検証する。検証は、取得したサーバ証明書を認証局（CA：Certificate Authority）が発行している公開鍵によって復号し、復号したサーバ証明書に記載されている情報センター８０の署名、サーバ証明書の有効期限及び接続ドメイン等の事項が正常であるか否かを判定する。ステップ４０４では、これらの事項すべてが正常である場合に肯定判定をして、手順をステップ４０６に移行させる。
【００４５】
ステップ４０６では、復号したサーバ証明書から情報センター８０のサーバ公開鍵を抽出する。サーバ公開鍵は情報センター８０が発行する公開鍵である。
【００４６】
ステップ４０８では、携帯情報端末９０と情報センター８０とのセッションでの暗号化及び復号化に使用される共通鍵を生成する。共通鍵はセッション毎に生成され、当該セッションが終了すると破棄される。
【００４７】
ステップ４１０では、生成した共通鍵をサーバ公開鍵で暗号化して情報センター８０に送信する。情報センター８０は、サーバ公開鍵に対応した秘密鍵を秘匿しており、この秘密鍵で暗号化された共通鍵を復号する。
【００４８】
ステップ４１２では、メモリ等に一時的に記憶している電気錠５２の認証情報を共通鍵で暗号化して情報センター８０に送信する。この時に、カードキー９２の識別子も暗号化して送信してもよい。
【００４９】
ステップ４１４では、送信した認証情報が真正のものと判定されたことによるセッションの許可が情報センター８０から受信できたか否かが検証される。認証情報が真正か否かは、情報センター８０はカードキー９２の認証情報を予め登録しておき、携帯情報端末９０から送信されてきた認証情報が登録されている認証情報と一致するか否かによって判定する。または、情報センター８０はカードキー９２の識別子を予め登録しておき、携帯情報端末９０から認証情報と共に送信されてきたカードキー９２の識別子が登録した識別子と一致するか否かによって判定してもよい。さらには、携帯情報端末９０から送信された認証情報及びカードキー９２の識別子が登録している認証情報及び識別子と完全に一致する場合に認証情報が真正であると判定してもよい。
【００５０】
ステップ４１４で肯定判定の場合は、ステップ４１６でユーザの操作に基づく電気錠５２の施錠又は解錠の指示を共通鍵で暗号化して送信して処理を終了する。なお、ステップ４０２、４０４、４１４で否定判定の場合は、セキュリティを維持するために、すべて処理を終了する。
【００５１】
なお、図３、４において説明した携帯情報端末９０での処理は、携帯情報端末９０に固有の機能として実装することも可能であるが、携帯情報端末９０にアドオンするアプリとして実装することも可能である。
【００５２】
図５は、本実施の形態に係るセキュリティシステムにおける情報センター８０とＨＥＭＳ３０とのセッションにおける情報センター８０の処理の一例を示すフローチャートである。図５に示したセッションにおいても、ＳＳＬ（Secure Sockets Layer）又はＴＬＳ（Transport Layer Security）等のセキュリティを考慮した通信プロトコルを使用する。
【００５３】
ステップ５００では、情報センター８０は、ＨＥＭＳ３０にアクセス要求を行い、ステップ５０２では、ＨＥＭＳ３０から送信されたサーバ証明書が取得できたか否かが判定される。
【００５４】
ステップ５０２で肯定判定の場合は、ステップ５０４において、取得したサーバ証明書が真正であるか否かを検証する。検証は、取得したサーバ証明書を認証局が発行している公開鍵によって復号し、復号したサーバ証明書に記載されているＨＥＭＳ３０の署名、サーバ証明書の有効期限及び接続ドメイン等の事項が正常であるか否かを判定する。ステップ５０４では、これらの事項すべてが正常である場合に、肯定判定をして、手順をステップ５０６に移行させる。
【００５５】
ステップ５０６では、復号したサーバ証明書からＨＥＭＳ３０のサーバ公開鍵を抽出する。サーバ公開鍵はＨＥＭＳ３０が発行する公開鍵である。
【００５６】
ステップ５０８では、情報センター８０とＨＥＭＳ３０とのセッションでの暗号化と復号化に使用される共通鍵を生成する。共通鍵はセッション毎に生成され、当該セッションが終了すると破棄される。ステップ５１０では、生成した共通鍵をサーバ公開鍵で暗号化してＨＥＭＳ３０に送信する。
【００５７】
ステップ５１２では、携帯情報端末９０から受信し一時的に記憶している電気錠５２の認証情報を共通鍵で暗号化してＨＥＭＳ３０に送信する。この時に、カードキー９２の識別子も暗号化して送信する。
【００５８】
ステップ５１４では、認証情報が真正のものと判定されたことによるセッションの許可がＨＥＭＳ３０から受信できたか否かが検証される。認証情報が真正か否かは、ＨＥＭＳ３０はカードキー９２の認証情報を予め登録しておき、情報センター８０から送信されてきた認証情報が登録されている認証情報と一致するか否かによって判定する。または、ＨＥＭＳ３０はカードキー９２の識別子を予め登録しておき、情報センター８０から認証情報と共に送信されてきたカードキー９２の識別子が登録した識別子と一致するか否かによって判定してもよい。さらには、情報センター８０から送信された認証情報とカードキー９２の識別子が登録している認証情報及び識別子と完全に一致する場合にセッションを許可してもよい。
【００５９】
ステップ５１４で肯定判定の場合は、ステップ５１６でユーザの操作に基づく電気錠５２の施錠又は解錠の指示を共通鍵で暗号化して送信して処理を終了する。なお、ステップ５０２、５０４、５１４で否定判定の場合は、セキュリティを維持するために、すべて処理を終了する。
【００６０】
図６は、本実施の形態に係るセキュリティシステムにおける全体の処理の一例を示すシーケンス図である。まず、ステップＳ６００では、カードキー９２から認証情報が暗号化されて送信される。
【００６１】
携帯情報端末９０は、ステップＳ６０２で受信した認証情報を復号し、ステップＳ６０４で認証情報を検証する。ステップＳ６０４での検証結果がＯＫの場合は、ステップＳ６０６で復号した認証情報をメモリ等に一時的に記憶する。
【００６２】
また、携帯情報端末９０は、ステップＳ６０８で情報センター８０にアクセス要求を行い、情報センター８０は、ステップＳ６１０でサーバ証明書を発行する。携帯情報端末９０はステップＳ６１２で受信したサーバ証明書を検証し、検証結果がＯＫの場合は、ステップＳ６１４でサーバ証明書からサーバ公開鍵を抽出する。
【００６３】
携帯情報端末９０は、ステップＳ６１６で共通鍵を生成し、ステップＳ６１８で暗号化した共通鍵を送信する。また、情報センター８０は、ステップＳ６２０で受信した共通鍵を復号する。
【００６４】
携帯情報端末９０は、ステップＳ６２２で暗号化した認証情報を送信し、情報センター８０は、ステップＳ６２４で受信した認証情報を復号して検証し、検証結果がＯＫの場合にステップＳ６２６でセッションの許可を送信する。
【００６５】
携帯情報端末９０は、ステップＳ６２８で電気錠５２の施錠又は解錠の指示を暗号化して送信し、情報センター８０は、ステップＳ６３０で施錠又は解錠の指示を復号して一時的に記憶する。
【００６６】
情報センター８０は、ステップＳ６３２でＨＥＭＳ３０にアクセス要求を行い、ＨＥＭＳ３０は、ステップＳ６３４でサーバ証明書を発行する。情報センター８０は、ステップＳ６３６で受信したサーバ証明書を検証し、検証結果がＯＫの場合は、ステップＳ６３８でサーバ証明書からサーバ公開鍵を抽出する。
【００６７】
情報センター８０は、ステップＳ６４０で共通鍵を生成し、ステップＳ６４２で暗号化した共通鍵を送信する。また、ＨＥＭＳ３０は、ステップＳ６４４で受信した共通鍵を復号する。
【００６８】
情報センター８０は、ステップＳ６４６で暗号化した認証情報を送信し、ＨＥＭＳ３０は、ステップＳ６４８で受信した認証情報を復号して検証し、検証結果がＯＫの場合にステップＳ６５０でセッションの許可を送信する。
【００６９】
情報センター８０は、ステップＳ６５２で電気錠５２の施錠又は解錠の指示を暗号化して送信する。ＨＥＭＳ３０は、ステップＳ６５４で施錠又は解錠の指示を復号し、ステップＳ６５６で復号した施錠又は解錠の指示に従って電気錠５２を制御する。
【００７０】
ＨＥＭＳ３０は、ステップＳ６５８で制御結果を情報センター８０との共通鍵で暗号化して送信し、情報センター８０は、ステップＳ６６０で受信した制御結果を復号化し、ステップＳ６６２で携帯情報端末９０との共通鍵で暗号化して送信する。
【００７１】
携帯情報端末９０は、ステップＳ６６４で制御結果を受信して復号化し、ステップＳ６６６で制御結果を表示する。
【００７２】
以上、説明したように、本実施の形態によれば、カードキー９２と携帯情報端末９０と情報センター８０とＨＥＭＳ３０とで暗号化した通信を行うことにより、指紋認証装置等の他の機器を要さずに住宅１０の施錠及び解錠を安全に遠隔操作できる。
【００７３】
本実施の形態では、ドア５４の電気錠５２の施錠と解錠とを遠隔操作する場合を一例として述べたが、上述のように情報センター８０を介することにより、家電機器３２、住設機器３４等の住宅内の機器を、カードキー９２と携帯情報端末９０とを用いて安全に遠隔操作することも可能である。この場合は、図４のステップ４１６において、住宅内の機器を制御する指令を送信する。
【００７４】
また、本実施の形態では、カードキー９２の認証情報を携帯情報端末９０に登録しておき、カードキー９２を要さずに電気錠５２の施錠及び解錠並びに住宅内の機器の遠隔操作が可能であってもよい。
【００７５】
本実施の形態では携帯情報端末９０と情報センター８０との認証において、さらにユーザの声紋を認証に用いることもできる。声紋による認証を追加することで、住宅１０の施錠及び解錠並びに住宅内の機器をより安全に遠隔操作できる。
【００７６】
図７は、本実施の形態に係るセキュリティシステムにおける携帯情報端末９０と情報センター８０とのセッションで声紋による認証を行う携帯情報端末９０の処理の一例を示すフローチャートである。
【００７７】
ステップ７００では、携帯情報端末９０は、情報センター８０にアクセス要求を送信する。ステップ７０２では、情報センター８０から音声情報の入力指示を受信する。音声情報の入力指示とは、例えば、「ヒノデハヤマガタ」、「ニイタカヤマノボレ」等の字句をユーザが発声する指示を携帯情報端末９０のディスプレイに表示するものである。発声する字句は前述のように特に実体的な意味を有しないものでもよいが、字句に含まれる音素が識別されやすいものが好ましい。
【００７８】
ステップ７０４では、ユーザが発声した音声のデータである音声情報を情報センター８０に送信する。情報センター８０では、送信された音声情報の声紋が予め登録してあるユーザの声紋と一致するか否かを判定する。
【００７９】
ステップ７０６では、声紋が一致して情報センター８０からアクセスの許可があったか否かが判定され、肯定判定の場合は、手順をステップ４０２に移行させる。以後、ステップ４０２〜４１６の手順は、図４の場合と同一なので以下説明を省略する。
【００８０】
このように、情報センター８０とのセッションを開始する前に、携帯情報端末９０とカードキー９２を所有している者が住宅１０の居住者であるか否かを、声紋認識により判定することが可能となる。
【００８１】
なお、図７の場合では、情報センター８０は、予め携帯情報端末９０のユーザである住宅１０の居住者の声紋を登録しておく。声紋の登録は携帯情報端末９０又はＨＥＭＳ３０から可能である。
【符号の説明】
【００８２】
１０   住宅
３２   家電機器
３４   住設機器
３６   ＣＰＵ
３８   ＲＯＭ
４０   ＲＡＭ
４６   表示部
４８   操作部
５０   メモリ
５２   電気錠
５４   ドア
５６   終端装置
７０   ネットワーク
８０   情報センター
９０   携帯情報端末
９２   カードキー
【図１】
2014159692.tif 000003
【図２】
2014159692.tif 000004
【図３】
2014159692.tif 000005
【図４】
2014159692.tif 000006
【図５】
2014159692.tif 000007
【図６】
2014159692.tif 000008
【図７】
2014159692.tif 000009